(57)【特許請求の範囲】
【請求項１】
一次側の電線の数と同数の第１のブッシングと、二次側の電線の数と同数の第２のブッシングと、を有し、前記第１のブッシングは前記一次側の電線と第１のケーブルを介して接続され、前記第２のブッシングは前記二次側の電線と第２のケーブルを介して接続される開閉器本体と、前記開閉器本体に姿勢変更可能に設けられ、姿勢変更に伴い前記一次側の電線と前記二次側の電線とを電気的に接続した入状体と前記一次側の電線と前記二次側の電線とを電気的に切断した切状体とに切り替え可能な開閉部とを備えた工事用開閉器と、前記第１のケーブル及び前記第２のケーブルとの接続構造において、
前記ブッシングは、それぞれ係合部を有しつつ、前記第１のブッシング及び前記第２のブッシングは相ごとに前記係合部の構成が異なり、
前記接続部は、それぞれ係合部を有しつつ、前記第１のケーブルの前記第１のブッシングと接続する第１の接続部及び前記第２のケーブルの前記第２のブッシングと接続する第２の接続部は、相ごとに前記係合部の構成が異なると共に、前記第１のブッシングと前記第１の接続部とは同じ相同士であれば前記係合部で係合され、前記第２のブッシングと前記第２の接続部とは同じ相同士であれば前記係合部で係合され、
更に、前記第１の接続部に当該第１の接続部の軸方向にスライドする筒状の第１のスライド部材が外装され、前記第１のスライド部材と前記第１のブッシングとが連結可能となっていると共に、前記第２の接続部に当該第２の接続部の軸方向にスライドする筒状の第２のスライド部材が外装され、前記第２のスライド部材と前記第２のブッシングとが連結可能となっていることを特徴とする工事用開閉器とケーブルとの接続構造。
【請求項２】
前記第１のケーブルの係合部として、前記第１の接続部の前記第１のブッシング側の外周面から当該第１のケーブルの径方向外側に張り出した係合張出部を有し、かかる係合張出部が相ごとに異なっており、前記第１のブッシングの係合部として、前記第１の接続部側に環状部が設けられ、この環状部の内周面に前記第１の接続部の同じ相の係合張出部と係合する係合溝部が形成されていると共に、前記第２のケーブルの係合部として、前記第２の接続部の前記第２のブッシング側の外周面から当該第２のケーブルの径方向外側に係合張出部を有し、かかる係合張出部が相ごとに異なっており、前記第２のブッシングの係合部として、前記第２の接続部側に環状部が設けられ、この環状部の内周面に前記第２の接続部の同じ相の係合張出部と係合する係合溝部が形成されていることを特徴とする請求項１に記載の工事用開閉器とケーブルとの接続構造。
【請求項３】
前記第１のケーブルの係合部として、前記第１の接続部の前記第１のブッシングと対峙する面に、相ごとに異なる係合突部又は係合窪部が形成され、前記第１のブッシングの係合部として、前記第１の接続部と対峙する面に、前記第１の接続部の同じ相の係合突部又は係合窪部と係合する係合窪部又は係合突部が形成されていると共に、前記第２のケーブルの係合部として、前記第２の接続部の前記第２のブッシングと対峙する面に、相ごとに異なる係合突部又は係合窪部が形成され、前記第２のブッシングの係合部として、前記第２の接続部と対峙する面に、前記第２の接続部の同じ相の係合突部又は係合窪部と係合する係合窪部又は係合突部が形成されていることを特徴とする請求項１に記載の工事用開閉器とケーブルとの接続構造。
【請求項４】
前記第１のスライド部材の前記第１のブッシング側の内周面に、ネジ溝が形成され、前記第１のブッシングの円柱状の基部の外周面に、前記第１のスライド部材のネジ溝と螺合可能なネジ溝が形成されていると共に、前記第２のスライド部材の前記第２のブッシング側の内周面に、ネジ溝が形成され、前記第２のブッシングの円柱状の基部の外周面に、前記第２のスライド部材のネジ溝と螺合可能なネジ溝が形成されていることを特徴とする請求項１から請求項３のいずれかに記載の工事用開閉器とケーブルとの接続構造。
【発明の詳細な説明】
【技術分野】
【０００１】
この発明は、工事用開閉器のブッシングと例えば付属ケーブル等のケーブルとの誤接続を防止することができる工事用開閉器とケーブルとの接続構造に関する。
【背景技術】
【０００２】
工事区間のみを停電させる場合には、例えば特許文献１等に示されるように、工事区間の両側に工事用開閉器をそれぞれ設置し、前記工事用開閉器を設置する電柱よりも上流側の架空電線に付属ケーブルの一端を接続し、前記電柱よりも下流側の架空電線にも付属ケーブルの一端を接続すると共に、これらの付属ケーブルの他端を前記電柱に設置された工事用開閉器の各ブッシングに接続させる手法が採られる。
【０００３】
もっとも、前記上流側の付属ケーブルの他端を工事用開閉器のブッシングに接続させるときに誤った相同士で接続したり、前記下流側の付属ケーブルの他端を工事用開閉器の負荷側のブッシングに接続させるときに誤った相同士で接続したりすると、工事区間以外の停電を予定していない区間でも停電が生ずるおそれがある。
【０００４】
このため、特許文献２に示される工事用開閉器の配線誤接続防止・確認構造では、例えば、第１の付属ケーブルのアタッチメントの挿入孔の開口形状を円形状、第２の付属ケーブルのアタッチメントの挿入孔の開口形状を正三角形状、第３の付属ケーブルのアタッチメントの挿入孔の開口形状を正方形状とし、第１の付属ケーブルの挿入孔に挿入される工事用開閉器の第１のブッシングの挿入突部の断面形状を円形状、第２の付属ケーブルの挿入孔に挿入される工事用開閉器の第２のブッシングの挿入突部の断面形状を正三角形状、第３の付属ケーブルの挿入孔に挿入される工事用開閉器の第３のブッシングの挿入突部の断面形状を正方形状として、相ごとに形状を異ならせることで、同じ相の付属ケーブルの挿入孔と工事用開閉器のブッシングの挿入突部とのみを接続可能にして誤接続を防止している。
【先行技術文献】
【特許文献】
【０００５】
【特許文献１】特開２０１１−１６６８８９号公報
【特許文献２】発明協会公開技報公技番号２０１４−５０３４４７号
【発明の概要】
【発明が解決しようとする課題】
【０００６】
もっとも、特許文献２に示される工事用開閉器の配線誤接続防止・確認構造のように、第２の付属ケーブルの開口形状を正三角形状とした挿入孔に工事用開閉器の第２のブッシングの断面形状を正三角形状とした第２の挿入突部を挿入したり、第３の付属ケーブルの開口形状を正方形状とした挿入孔に工事用開閉器の第３のブッシングの断面形状を正方形状とした第３の挿入突部を挿入したりするのでは、挿入孔に挿入突部を押し込むときに、挿入突部の角部が損傷したり、反対に挿入孔の内周面が挿入突部の角部で損傷したりするおそれがある。
【０００７】
そこで、本発明は、ブッシングとケーブルとの誤接続を防止し、更にブッシングとケーブルとを接続するときにブッシング又はケーブルが損傷するのも防止した工事用開閉器とケーブルとの接続構造を提供することを主たる課題としている。
【課題を解決するための手段】
【０００８】
上記課題を達成するために、請求項１に記載の工事用開閉器とケーブルとの接続構造は、一次側の電線の数と同数の第１のブッシングと、二次側の電線の数と同数の第２のブッシングと、を有し、前記第１のブッシングは前記一次側の電線と第１のケーブルを介して接続され、前記第２のブッシングは前記二次側の電線と第２のケーブルを介して接続される開閉器本体と、前記開閉器本体に姿勢変更可能に設けられ、姿勢変更に伴い前記一次側の電線と前記二次側の電線とを電気的に接続した入状体と前記一次側の電線と前記二次側の電線とを電気的に切断した切状体とに切り替え可能な開閉部とを備えた工事用開閉器と、前記第１のケーブル及び前記第２のケーブルとの接続構造において、前記ブッシングは、それぞれ係合部を有しつつ、前記第１のブッシング及び前記第２のブッシングは相ごとに前記係合部の構成が異なり、前記接続部は、それぞれ係合部を有しつつ、前記第１のケーブルの前記第１のブッシングと接続する第１の接続部及び前記第２のケーブルの前記第２のブッシングと接続する第２の接続部は相ごとに前記係合部の構成が異なると共に、前記第１のブッシングと前記第１の接続部とは同じ相同士であれば前記係合部で係合され、前記第２のブッシングと前記第２の接続部とは同じ相同士であれば前記係合部で係合され、更に、前記第１の接続部に当該第１の接続部の軸方向にスライドする筒状の第１のスライド部材が外装され、前記第１のスライド部材と前記第１のブッシングとが連結可能となっていると共に、前記第２の接続部に当該第２の接続部の軸方向にスライドする筒状の第２のスライド部材が外装され、前記第２のスライド部材と前記第２のブッシングとが連結可能となっていることを特徴としている。一次側の電線、二次側の電線、第１のブッシング、第２のブッシング、第１のケーブル、第２のケーブルの数は、例えばそれぞれ３つである。
【０００９】
これにより、第１のブッシングと第１のケーブルの接続部とは同じ相の場合のみ係合部により係合可能であり、第２のブッシングと第２のケーブルの接続部とは同じ相の場合のみ係合部で係合可能であるので、ブッシングとケーブルの接続部とが異なる相であるにも関わらず誤って接続されるおそれがなくなる。そして、ケーブルの接続部に外装されたスライド部材をブッシング側にスライドさせて、ブッシングとスライド部材とを連結させることにより行われるので、ブッシングとケーブルの接続部とが係合部により確実に係合したことを確認した後にスライド部材をブッシング側にスライドさせてスライド部材とブッシングとを連結させることで、ブッシングとケーブルとの接続を確実かつやり直しなく行うことができる。
【００１０】
請求項２に記載の工事用開閉器とケーブルとの接続構造にあっては、前記第１のケーブルの係合部として、前記第１の接続部の前記第１のブッシング側の外周面から当該第１のケーブルの径方向外側に張り出した係合張出部を有し、かかる係合張出部が相ごとに異なっており、前記第１のブッシングの係合部として、前記第１の接続部側に環状部が設けられ、この環状部の内周面に前記第１の接続部の同じ相の係合張出部と係合する係合溝部が形成されていると共に、前記第２のケーブルの係合部として、前記第２の接続部の前記第２のブッシング側の外周面から当該第２のケーブルの径方向外側に係合張出部を有し、かかる係合張出部が相ごとに異なっており、前記第２のブッシングの係合部として、前記第２の接続部側に環状部が設けられ、この環状部の内周面に前記第２の接続部の同じ相の係合張出部と係合する係合溝部が形成されていることを特徴としている。
【００１１】
これにより、第１の接続部の第１のブッシング側において径方向外側に設けられた係合張出部を第１のブッシングの第１の接続部側に設けられた環状部の内周面に形成された係合溝部に装着させることで、第１のケーブルの第１の接続部と第１のブッシングとが係合され、第２の接続部の第２のブッシング側径方向外側に設けられた係合係合張出部を第２のブッシングの第２の接続部側に設けられた環状部の内周面に形成された係合溝部に装着させることで、第２のケーブルの第２の接続部と第２のブッシングとが係合される。そして、各ケーブルの接続部や各ブッシングに設ける挿入孔の開口形状や挿入突部の断面形状は従来と同じ円形状とすることができる。
【００１２】
請求項３に記載の工事用開閉器とケーブルとの接続構造にあっては、前記第１のケーブルの係合部として、前記第１の接続部の前記第１のブッシングと対峙する面に、相ごとに異なる係合突部又は係合窪部が形成され、前記第１のブッシングの係合部として、前記第１の接続部と対峙する面に、前記第１の接続部の同じ相の係合突部又は係合窪部と係合する係合窪部又は係合突部が形成されていると共に、前記第２のケーブルの係合部として、前記第２の接続部の前記第２のブッシングと対峙する面に、相ごとに異なる係合突部又は係合窪部が形成され、前記第２のブッシングの係合部として、前記第２の接続部と対峙する面に、前記第２の接続部の同じ相の係合突部又は係合窪部と係合する係合窪部又は係合突部が形成されていることを特徴としている。なお、接続部に係合突部を形成し、ブッシングに係合窪部を形成しても、反対に、接続部に係合窪部を形成し、ブッシングに係合突部を形成しても良い。
【００１３】
これにより、第１の接続部の第１のブッシングと対峙する面に形成された係合窪部又は係合突部に、第１のブッシングの第１の接続部と対峙する面に形成された係合突部又は係合窪部が挿入或いは外挿されることで、第１の接続部と第１のブッシングとが係合され、第２の接続部の第２のブッシングと対峙する面に形成された係合窪部又は係合突部に第２のブッシングの第２の接続部と対峙する面に形成された係合突部又は係合窪部が挿入或いは外挿されることで、第２の接続部と第２のブッシングとが係合される。そして、各ケーブルの接続部や各ブッシングに設ける挿入孔の開口形状や挿入突部の断面形状は従来と同じ円形状とすることができる。
【００１４】
更に、請求項４に記載の工事用開閉器とケーブルとの接続構造にあっては、前記第１のスライド部材の前記第１のブッシング側の内周面に、ネジ溝が形成され、前記第１のブッシングの円柱状の基部の外周面に、前記第１のスライド部材のネジ溝と螺合可能なネジ溝が形成されていると共に、前記第２のスライド部材の前記第２のブッシング側の内周面に、ネジ溝が形成され、前記第２のブッシングの円柱状の基部の外周面に、前記第２のスライド部材のネジ溝と螺合可能なネジ溝が形成されていることを特徴としている。
【００１５】
これにより、第１のスライド部材を第１のブッシュ側に回転させつつスライドさせることで、第１のスライド部材のネジ溝と第１のブッシュのネジ溝とが螺合され、第２のスライド部材を第２のブッシュ側に回転させつつスライドさせることで、第２のスライド部材のネジ溝と第２のブッシュのネジ溝とが螺合される。
【発明の効果】
【００１６】
以上のように、本発明に係る工事用開閉器とケーブルとの接続構造によれば、第１のブッシングと第１のケーブルの接続部とは同じ相の場合のみ係合部により係合可能であり、第２のブッシングと第２のケーブルの接続部とは同じ相の場合のみ係合部により係合可能であるので、ブッシングとケーブルとが異なる相であるにも関わらず誤って接続される可能性をなくすることができる。
【００１７】
更に、本発明に係る工事用開閉器とケーブルとの接続構造によれば、ケーブルの接続部に外装されたスライド部材をブッシング側にスライドさせて、ブッシングとスライド部材とを係合させることにより行われるので、ブッシングとケーブルの接続部とが係合部により確実に係合したことを確認した後にスライド部材をブッシング側にスライドさせてスライド部材とブッシングとを係合させることで、ブッシングとケーブルとの接続を行うことができる。
【００１８】
特に請求項２に記載の工事用開閉器とケーブルとの接続構造によれば、第１の接続部の第１のブッシング側において径方向外側に設けられた係合張出部を第１のブッシングの第１の接続部側に設けられた環状部の内周面に形成された係合溝部に装着させることで、第１のケーブルの第１の接続部と第１のブッシングとが係合され、第２の接続部の第２のブッシング側径方向外側に設けられた係合係合張出部を第２のブッシングの第２の接続部側に設けられた環状部の内周面に形成された係合溝部に装着させることで、第２のケーブルの第２の接続部と第２のブッシングとが係合される。このため、相ごとに係合窪部及び係合突部の位置や大きさや数を変えることで、ブッシングとケーブルとが異なる相であるにも関わらず誤って接続される可能性をなくすることができる。
【００１９】
特に請求項３に記載の工事用開閉器とケーブルとの接続構造によれば、第１の接続部の第１のブッシングと対峙する面に形成された係合窪部又は係合突部に、第１のブッシングの第１の接続部と対峙する面に形成された係合突部又は係合窪部が挿入或いは外挿されることで、第１の接続部と第１のブッシングとが係合され、第２の接続部の第２のブッシングと対峙する面に形成された係合窪部又は係合突部に第２のブッシングの第２の接続部と対峙する面に形成された係合突部又は係合窪部が挿入或いは外挿されることで、第２の接続部と第２のブッシングとが係合される。このため、相ごとに係合窪部及び係合突部の位置や大きさや数を変えることで、ブッシングとケーブルとが異なる相であるにも関わらず誤って接続される可能性をなくすることができる。
【００２０】
更に、請求項２及び請求項３に記載の工事用開閉器とケーブルとの接続構造によれば、ケーブルの接続部や各ブッシングに設ける挿入孔の開口形状や挿入突部の断面形状は従来と同じ円形状とすることができ、三角形状や四角形状等の多角形状とする必要がなくなるで、挿入孔に挿入突部を押し込むときに挿入突部や挿入孔が破損するのを防止することが可能である。
【００２１】
特に請求項４に記載の工事用開閉器とケーブルとの接続構造によれば、第１のスライド部材を第１のブッシュ側に回転させつつスライドさせることで、第１のスライド部材のネジ溝と第１のブッシュのネジ溝とを螺合させ、第２のスライド部材を第２のブッシュ側に回転させつつスライドさせることで、第２のスライド部材のネジ溝と第２のブッシュのネジ溝とを螺合させることができるので、工事用開閉器とケーブルとの接続をより強固にすることが可能となる。
【図面の簡単な説明】
【００２２】
【図１】図１は、本発明に係る工事用開閉器を用いて工事区間のみを停電状態とするための配電線の配置を示した説明図である。
【図２】図２は、本発明に係る工事用開閉器の開閉器本体の実施例１を示したものであり、図２（ａ）は、上記実施例１として示される工事用開閉器の開閉器本体の一方のブッシングを有する側を示した斜視図、図２（ｂ）は、第１の相のブッシングの構成を示した説明図、図２（ｃ）は、第２の相のブッシングの構成を示した説明図、図２（ｄ）は、第３の相のブッシングの構成を示した説明図である。
【図３】図３は、本発明に係る工事用開閉器と接続される付属ケーブルの実施例１を示したものであり、図３（ａ）及び図３（ｂ）は、第１相対応の付属ケーブルを示した説明図、図３（ｃ）及び図３（ｄ）は、第２相対応の付属ケーブルを示した説明図、図３（ｅ）及び図３（ｆ）は、第３相対応の付属ケーブルを示した説明図である。
【図４】図４（ａ）は、実施例１における、工事用開閉器の各ブッシングに付属ケーブルが接続された状態を示す外観の説明図であり、図４（ｂ）は、工事用開閉器の第１相のブッシングに第１相対応の付属ケーブルが接続された状態を例示した断面図である。
【図５】図５は、本発明に係る工事用開閉器の開閉器本体の実施例２を示したものであり、図５（ａ）は、上記実施例２として示される工事用開閉器の開閉器本体の一方のブッシングを有する側を示した斜視図、図５（ｂ）は、第１の相のブッシングの構成を示した説明図、図５（ｃ）は、第２の相のブッシングの構成を示した説明図、図５（ｄ）は、第３の相のブッシングの構成を示した説明図である。
【図６】図６は、本発明に係る工事用開閉器と接続される付属ケーブルの実施例２を示したものであり、図６（ａ）及び図６（ｂ）は、第１相対応の付属ケーブルを示した説明図、図６（ｃ）及び図６（ｄ）は、第２相対応の付属ケーブルを示した説明図、図６（ｅ）及び図６（ｆ）は、第３相対応の付属ケーブルを示した説明図である。
【図７】図７（ａ）は、実施例２における、工事用開閉器の各ブッシングに付属ケーブルが接続された状態を示す外観の説明図であり、図７（ｂ）は、工事用開閉器の第１相のブッシングに第１相対応の付属ケーブルが接続された状態を例示した断面図である。
【発明を実施するための形態】
【００２３】
以下、本発明の実施形態について添付図面を参照しながら説明する。
【００２４】
図1を用いて、架空電線１０１、１０２、１０３の所定の電柱Ｐ１、Ｐ２（電柱Ｐ１と電柱Ｐ２とは、異なる電柱であっても、同一の電柱であってもよい。）の腕金Ａ1、Ａ２間に２つの切断点Ｄ１、Ｄ２を設け、この切断点Ｄ１、Ｄ２間を工事区間ＣＳとして、この工事区間ＣＳのみを停電させるための配電線の配置の一例について説明する。
【００２５】
本実施例では、架空電線１０１、１０２、１０３について、例えば工事区間ＣＳを境にして、その一方を一次側（例えば電源側）の架空電線１０１ａ、１０２ａ、１０３ａとし、他方を二次側（例えば負荷側）の架空電線１０１ｂ、１０２ｂ、１０３ｂとする。更に、本技術では、架空電線１０１（１０１ａ、１０１ｂ）が第１相をなし、架空電線１０２（１０２ａ、１０２ｂ）が第２相をなし、架空電線１０３（１０３ａ、１０３ｂ）が第３相をなしている。
【００２６】
そして、工事区間ＣＳ以外の区間が停電しないように、付属ケーブル１０４、１０５、１０６が、一次側の架空電線１０１ａ、１０２ａ、１０３ａと二次側の架空電線１０１ｂ、１０２ｂ、１０３ｂとを、工事区間ＣＳを迂回して一時的に接続するための迂回線として配置されている。
【００２７】
付属ケーブル１０４、１０５、１０６は、その途中に工事用開閉器１が配置されている。本実施例では、付属ケーブル１０４、１０５、１０６のうち一次側の架空電線１０１ａ、１０２ａ、１０３ａと工事用開閉器１との間の部分を一次側の付属ケーブル１０４ａ、１０５ａ、１０６ａとし、付属ケーブル１０４、１０５、１０６のうち工事用開閉器１と二次側の架空電線１０１ｂ、１０２ｂ、１０３ｂとの間の部分を二次側の付属ケーブル１０４ｂ、１０５ｂ、１０６ｂとする。
【００２８】
一次側では、付属ケーブル電線１０４ａの一端が、架空電線１０１ａと接続コネクタＣ１を介して接続され、付属ケーブル１０５ａの一端が、架空電線１０２ａと接続コネクタＣ２を介して接続されていると共に、付属ケーブル１０６ａの一端が、架空電線１０３ａと接続コネクタＣ３を介して接続されている。また、二次側では、付属ケーブル１０４ｂの一端が、架空電線１０１ｂと接続コネクタＣ４を介して接続され、付属ケーブル１０５ｂの一端が、架空電線１０２ｂと接続コネクタＣ５を介して接続されていると共に、付属ケーブル１０６ｂの一端が、架空電線１０３ｂと接続コネクタＣ６を介して接続されている。
【００２９】
そして、一次側の付属ケーブル１０４ａ、１０５ａ、１０６ａ及び二次側の付属ケーブル１０４ｂ、１０５ｂ、１０６ｂの他端は、図２に示されるように、工事用開閉器１の下記するブッシング１７乃至２２と適宜接続するための接続部３１乃至３６を有している。これらの接続部３１乃至３６の構成の詳細についは後述する。
【００３０】
工事用開閉器１は、図１から図３に示されるように、開閉器本体１１と、開閉部１２と、６つのブッシング１７乃至２２とを有して構成されている。
【００３１】
開閉器本体１１は、この実施例では、図２及び図４に示されるように略直方体の箱状の外形をなしている。
【００３２】
開閉器本体１１の相反する方向に向いた立面１１ａ、１１ｂのうち一方の立面１１ａには、付属ケーブル１０４ａの接続部３１が接続される一次側のブッシング１７、付属ケーブル１０５ａの接続部３２が接続される一次側のブッシング１８、及び付属ケーブル１０６ａの接続部３３が接続される一次側のブッシング１９が、上方からブッシング１７、１８、１９の順で並んで配置されている。また、開閉器本体１１の他方の立面１１ｂには、付属ケーブル１０４ｂの接続部３４が接続される二次のブッシング２０、付属ケーブル１０５ｂの接続部３５が接続される二次側のブッシンブ２１、及び付属ケーブル１０６ｂの接続部３６が接続される二次側のブッシング２２が、上方からブッシング２０、２１、２２の順で並んで配置されている。
【００３３】
この実施例では、工事用開閉器１の一次側のブッシング１７は、例えば赤色で示される第１相用のものであり、一次側のブッシング１８は、例えば白色で示される第２相用のものであると共に、一次側のブッシング１９は、例えば青色で示される第３相用のものである。また、工事用開閉器１の二次側のブッシング２０は、例えば赤色で示される第１相用のものであり、二次側のブッシング２１は、例えば白色で示される第２相用のものであると共に、二次側のブッシング２２は、例えば青色で示される第３相用のものである。これらのブッシング１７乃至２２の構成の詳細についは後述する。
【００３４】
開閉部１２は、立面１１ａの側辺と立面１１ｂの側辺と接し、これらの立面１１ａ、１１ｂよりも面積の大きな立面の中央よりも下側に配置されている。この開閉部１２は、平仮名の略「く」の字状の姿勢変更部材１３と、姿勢変更部材１３を前記立面１１ａと立面１１ｂとに接した立面に連結させた軸部１４とで構成されており、姿勢変更部材１３は軸部１４を中心として姿勢変更自在に揺動可能になっている。また、前記立面１１ａと立面１１ｂとに接した立面の所定の位置には、「入」の文字の識別表示１５と、「切」の文字の識別表示１６とが記されている。
【００３５】
これにより、架空電線１０１ａ乃至１０３ａと付属ケーブル１０４ａ乃至１０６ａとを適宜接続し、工事用開閉器１の各ブッシング１７乃至１９と付属ケーブル１０４ａ乃至１０６ａの接続部３１乃至３３を適宜接続し、架空電線１０１ｂ乃至１０３ｂと付属ケーブル１０４ｂ乃至１０６ｂとを適宜接続し、工事用開閉器１の各ブッシング２０乃至２２と付属ケーブル１０４ｂ乃至１０６ｂの接続部３４乃至３６を適宜接続した状態で、姿勢変更部材１３を操作して、姿勢変更部材１３の一方端が「入」の文字の識別表示１５を指したときには、工事用開閉器１が開の状態になって、電線１０１ａと電線１０１ｂ、電線１０２ａと電線１０２ｂ、電線１０３ａと電線１０３ｂとが電気的に接続される。そして、姿勢変更部材１３の他方端が「切」の文字の識別表示１６を指したときには、工事用開閉器１が閉の状態になって、電線１０１ａと電線１０１ｂ、電線１０２ａと電線１０２ｂ、電線１０３ａと電線１０３ｂとの間の電気的な接続が切断される。
【実施例１】
【００３６】
次に、実施例１における、工事用開閉器１のブッシング１７乃至２２と付属ケーブル１０４乃至１０６の接続部３１乃至３６とを係合するための構成について、図２から図４を用いて、以下に説明する。
【００３７】
工事用開閉器１のブッシング１７乃至２２は、図２及び図４（ｂ）に示されるように、付属ケーブル１０４乃至１０５の接続部３１乃至３６挿入孔３７に挿入可能な円筒状の挿入突部２４と、この挿入突部２４の基端側に位置する台部２５とを有すると共に、挿入突部２４の周囲に、当該挿入突部２４を中心とした円状の環状部２６が形成されている。環状部２６の外周面は、下記するスライド部材４５と螺合するためのネジ溝２７が形成されている。
【００３８】
そして、環状部２６の内周面には、図２（ｂ）乃至図２（ｄ）に示されるように、係合溝部２８（２８ａ乃至２８ｊ）が形成されている。これら係合溝部２８（２８ａ乃至２８ｊ）は、環状部２６の内周面からブッシング１７乃至２２の径方向外側に向けて窪んだ形状となっている。各係合溝部２８（２８ａ乃至２８ｊ）のブッシング１７乃至２２の軸心側を向いた内側面は、平坦面となっている。
【００３９】
図２に示されるように、ブッシング１７、２０は、３つの係合溝部２８ａ、２８ｂ、２８ｃを有し、ブッシング１８、２１は、４つの係合溝部２８ｄ、２８e、２８ｆ、２８ｇを有し、ブッシング１９、２２は、３つの係合溝部２８ｈ、２８ｉ、２８ｊを有する。
【００４０】
そして、ブッシング１７、２０の係合溝部２８ａ、２８ｂ、２８ｃと、ブッシング１８、２１の係合溝部２８ｄ、２８ｅ、２８ｆ、２８ｇと、ブッシング１９、２２の係合溝部２８ｈ、２８ｉ、２８ｊとは、それぞれ異なった配置となっている。すなわち、この実施例では、ブッシング１７、２０の係合溝部２８ａ、２８ｂ、２８ｃは、挿入突部２４を回転中心として均等に１２０度ずつずれて配置され、ブッシング１８、２１の係合溝部２８ｄ、２８ｅ、２８ｆ、２８ｇは、挿入突部２４を回転中心として均等に９０度ずつずれて配置されている。更に、ブッシング１９、２２では、係合溝部２８ｈと係合溝部２８ｉとは挿入突部２４を回転中心として１２０度ずれ、係合溝部２８ｉと係合溝部２８ｊとは挿入突部２４を回転中心として１５０度ずれ、係合溝部２８ｊと係合溝部２８ｈとは挿入突部２４を回転中心として９０度ずれて配置されている。
【００４１】
これに対し、付属ケーブル１０４乃至１０６は、それぞれ付属ケーブル１０４乃至１０６の本体１０７よりも大径の接続部３１乃至３６を有し、接続部３１乃至３６は、ブッシング１７乃至２２の挿入突部２４を挿入可能な挿入孔３７が形成されている。そして、各接続部３１乃至３６は、この実施例では、ブッシング１７乃至２２ブッシング１７側に突出した円環状の環状部３８を設け、環状部３８の一部をコの字状に付属ケーブル１０４乃至１０６の径方向外側に折り曲げた状態とすることで、係合張出部３９（３９ａ乃至３９ｊ）が形成されている。係合張出部３９（３９ａ乃至３９ｊ）の外側面は、平坦面となっている。
【００４２】
図３に示されるように、接続部３１、３４は、３つの係合張出部３９ａ、３９ｂ、３９ｃを有し、接続部３２、３５は、４つの係合張出部３９ｄ、３９ｅ、３９ｆを有し、接続部３３、３６は、３つの係合張出部３９ｇ、３９ｈ、３９ｉを有する。
【００４３】
そして、接続部３１、３４の係合張出部３９ａ、３９ｂ、３９ｃは、ブッシング１７、２０の係合溝部２８ａ、２８ｂ、２８ｃに対応した配置となっており、接続部３２、３５の係合張出部３９ｄ、３９ｅ、３９ｆ、３９ｇは、ブッシング１７、２０の係合溝部２８ｄ、２８ｅ、２８ｆ、２８ｇに対応した配置となっていると共に、接続部３３、３６の係合張出部３９ｈ、３９ｉ、３９ｊは、ブッシング１７、２０の係合溝部２８ｈ、２８ｉ、２８ｊに対応した配置となっている。すなわち、この実施例では、接続部３１、３４の係合張出部３９ａ、３９ｂ、３９ｃは、挿入孔３７を回転中心として均等に１２０度ずつずれて配置され、接続部３２、３５の係合張出部３９ｄ、３９ｅ、３９ｆ、３９ｇは、挿入孔３７を回転中心として均等に９０度ずつずれて配置されている。更に、接続部３３、３６では、係合張出部３９ｈと係合張出部３９ｉとは挿入孔３７を回転中心として１２０度ずれ、係合張出部３９ｉと係合張出部３９ｊとは挿入孔３７を回転中心として１５０度ずれ、係合張出部３９ｊと係合張出部３９ｈとは挿入孔３７を回転中心として９０度ずれて配置されている。
【００４４】
各係合張出部３９（３９ａ乃至３９ｊ）の外形状は、係合張出部３９（３９ａ乃至３９ｊ）を係合溝部２８（２８ａ乃至２８ｊ）内にガタつきなく組み合わせることができるように、係合溝部２８（２８ａ乃至２８ｊ）の内形状と略同じ大きさとなっている。すなわち、係合張出部３９（３９ａ乃至３９ｊ）の平坦な外側面は、係合溝部２８（２８ａ乃至２８ｊ）の平坦な内側面と当接することができる。
【００４５】
以上の構成とすることにより、同じ第１の相である、工事用開閉器１のブッシング１７、２０の係合溝部２８ａ、２８ｂ、２８ｃと接続部３１、３４の係合張出部３９ａ、３９ｂ、３９ｃとのみが形状的に係合可能であり、同じ第２の相である、工事用開閉器１のブッシング１８、２１の係合溝部２８ｄ、２８ｅ、２８ｆ、２８ｇと接続部３２、３５の係合張出部３９ｄ、３９ｅ、３９ｆ、３９ｇとのみが形状的に係合可能であり、更に、同じ第３の相である、工事用開閉器１のブッシング１９、２２の係合溝部２８ｈ、２８ｉ、２８ｊと接続部３３、３６の係合張出部３９ｈ、３９ｉ、３９ｊとのみが形状的に係合可能となっている。
【００４６】
よって、相が異なっているにもかかわらず工事用開閉器１のブッシングと付属ケーブルの接続部とを誤接続してしまうことがなくなる。
【００４７】
そして、この実施例では、図３及び図４に示されるように、付属ケーブル１０４乃至１０６の接続部３１乃至３６に筒状のスライド部材４５が外装されている。スライド部材４５の内径寸法は、付属ケーブル１０４乃至１０６の中心から係合張出部３９の外周面までの寸法よりも大きく、ブッシング１７乃至２２の環状部２６の外径寸法と略同じであり、スライド部材４５の内周面には、環状部２６の外周面に形成されたネジ溝２７と螺合可能なネジ溝４１が形成されている。
【００４８】
これにより、同じ相である、工事用開閉器１のブッシング１７乃至２２の係合溝部２８と付属ケーブル１０４乃至１０６の接続部３１乃至３６の係合張出部３９とを係合した後に、スライド部材４５をブッシング１７乃至２２側にスライドさせ（回転させつつスライドさせる場合と回転させないでスライドさせる場合の双方を含む。）、スライド部材４５が所定位置に達したら、スライド部材４５を回転させて、環状部２６の外周面のネジ溝２７とスライド部材４５の内周面のネジ溝４１とを螺合させることで、ブッシング１７乃至２２と付属ケーブル１０４乃至１０６とを強固に連結させることができる。
【００４９】
そして、ブッシング１７乃至２２と付属ケーブル１０４乃至１０６との連結作業は、ブッシング１７乃至２２の係合溝部２８と付属ケーブル１０４乃至１０６の接続部３１乃至３６の係合張出部３９とが係合したことを確認した後に行うことができるので、ブッシング１７乃至２２と付属ケーブル１０４乃至１０６との連結後に、係合溝部２８との係合張出部３９との係合が不十分であったことが判り、ブッシング１７乃至２２と付属ケーブル１０４乃至１０６との連結作業をやり直すという不具合をなくすことが可能となる。
【実施例２】
【００５０】
実施例２における、工事用開閉器１のブッシング１７乃至２２と付属ケーブル１０４乃至１０６の接続部３１乃至３６とを係合するための構成について、図５から図７を用いて、以下に説明する。但し、実施例１と同様の構成については同一の符号を付してその説明を省略する。
【００５１】
工事用開閉器１のブッシング１７乃至２２は、環状部２６で囲まれた立面に、係合突部２９（２９ａ乃至２９ｉ）が形成されている。この実施例では、係合突部２９（２９ａ乃至２９ｉ）は、ブッシング１７乃至２２の軸方向に沿って突出し、且つ、環状部２６に連接し、或いは環状部２６と一体化した形態となっている。そして、係合突部２９ａ乃至２９ｃの環状部２６の周方向に沿った寸法と係合突部２９ｄ乃至２９ｇの環状部２６の周方向に沿った寸法とは同じでも良いが、係合突部２９ｈ及び２９ｉの環状部２６の周方向に沿った寸法は、係合突部２９ｄ乃至２９ｇの環状部２６の周方向に沿った寸法よりも大きくなっている。
【００５２】
図５に示されるように、ブッシング１７、２０は、３つの係合突部２９ａ、２９ｂ、２９ｃを有し、ブッシング１８、２１は、４つの係合突部２９ｄ、２９e、２９ｆ、２９ｇを有し、ブッシング１９、２２は、２つの係合突部２９ｈ、２９ｉを有する。
【００５３】
ブッシング１７、２０の係合突部２９、２９ｂ、２９ｃと、ブッシング１８、２１の係合突部２９ｄ、２９ｅ、２９ｆ、２９ｇと、ブッシング１９、２２の係合突部２９ｈ、２９ｉとは、それぞれ異なった配置となっている。すなわち、この実施例では、ブッシング１７、２０の係合突部２９ａ、２９ｂ、２９ｃは、挿入突部２４を回転中心として均等に１２０度ずつずれて配置され、ブッシング１８、２１の係合突部２９ｄ、２９ｅ、２９ｆ、２９ｇは、挿入突部２４を回転中心として均等に９０度ずつずれて配置され、ブッシング１９、２２の係合突部２９ｈ、２９ｉは、挿入突部２４を回転中心として１８０度ずつずれて配置されている。
【００５４】
付属ケーブル１０４乃至１０６の接続部３１乃至３６は、図６に示されるように、ブッシング１７乃至２２と対峙する当接面４０を有すると共に、係合窪部４１（４１ａ乃至４１ｉ）が、当接面４０の周縁をコ字状に切り欠きつつ接続部３１乃至３６の外周面を当該接続部３１乃至３６の軸方向に沿って延びている。
【００５５】
図６に示されるように、接続部３１、３４は、３つの係合窪部４１ａ、４１ｂ、４１ｃを有し、接続部３２、３５は、４つの係合窪部４１ｄ、４１ｅ、４１ｆ、４１ｇを有し、接続部３３、３６は、２つの係合窪部４１ｈ、４１ｉを有する。
【００５６】
そして、接続部３１、３４の係合窪部４１ａ、４１ｂ、４１ｃは、ブッシング１７、２０の係合突部２９ａ、２９ｂ、２９ｃに対応した配置となっており、接続部３２、３５の係合窪部４１ｄ、４１ｅ、４１ｆ、４１ｇは、ブッシング１７、２０の係合突部２９ｄ、２９ｅ、２９ｆ、２９ｇに対応した配置となっていると共に、接続部３３、３６の係合窪部４１ｈ、４１ｉは、ブッシング１７、２０の係合突部２９ｈ、２９ｉに対応した配置となっている。すなわち、この実施例では、接続部３１、３３の係合窪部４１ａ、４１ｂ、４１ｃは、挿入孔３７を回転中心として均等に１２０度ずつずれて配置され、接続部３２、３５の係合窪部４１ｄ、４１ｅ、４１ｆ、４１ｇは、挿入孔３７を回転中心として均等に９０度ずつずれて配置され、接続部３３、３６の係合窪部４１ｈ、４１ｉは、挿入孔３７を回転中心として１８０度ずつずれて配置されている。
【００５７】
そして、係合窪部４１ａ乃至４１ｇの外形状は、係合窪部４１ａ乃至４１ｇを係合突部２９ａ乃至２９ｇ内にガタつきなく組み付けることができるように、係合突部２９ａ乃至２９ｇの内形状と略同じ大きさとなっている。そして、各係合窪部４１ｈ乃至４１ｉの外形状は、係合窪部４１ａ乃至４１ｇの外形状の外形状よりも大きいと共に、係合窪部４１ｈ乃至４１ｉを係合突部２９ｈ及び２９ｉ内にガタつきなく組み付けることができるように、係合突部２９ｈ及び２９ｉの内形状と略同じ大きさとなっている。
【００５８】
以上の構成とすることにより、同じ第１の相である、工事用開閉器１のブッシング１７、２０の係合突部２９ａ、２９ｂ、２９ｃと接続部３１、３４の係合窪部４１ａ、４１ｂ、４１ｃとのみが形状的に係合可能であり、同じ第２の相である、工事用開閉器１のブッシング１８、２１の係合突部２９ｄ、２９ｅ、２９ｆ、２９ｇと接続部３２、３５の係合窪部４１ｄ、４１ｅ、４１ｆ、４１ｇとのみが形状的に係合可能であり、更に、同じ第３の相である、工事用開閉器１のブッシング１９、２２の係合突部２９ｈ、２９ｉと接続部４１ｈ、４１ｉとのみが形状的に係合可能となっている。
【００５９】
よって、実施例２においても、相が異なっているにもかかわらず工事用開閉器１のブッシングと付属ケーブルの接続部とを誤接続してしまうことがなくなる。
【００６０】
そして、この実施例２でも、図６及び図７に示されるように、付属ケーブル１０４乃至１０６の接続部３１乃至３６に筒状のスライド部材４５が外装されている。スライド部材４５の内径寸法は、付属ケーブル１０４乃至１０６の中心から当接面４０の外周縁までの寸法よりも大きく、ブッシング１７乃至２２の環状部２６の外径寸法と略同じであり、スライド部材４５の内周面には、環状部２６の外周面に形成されたネジ溝２７と螺合可能なネジ溝４６が形成されている。
【００６１】
これにより、同じ相である、工事用開閉器１のブッシング１７乃至２２の係合突部２９と付属ケーブル１０４乃至１０６の接続部３１乃至３６の係合窪部４１とを係合した後に、スライド部材４５をブッシング１７乃至２２側にスライドさせ（回転させつつスライドさせる場合と回転させないでスライドさせる場合の双方を含む。）、スライド部材４５が所定位置に達したら、スライド部材４５を回転させて、環状部２６の外周面のネジ溝２７とスライド部材４５の内周面のネジ溝４６とを螺合させることで、ブッシング１７乃至２２と付属ケーブル１０４乃至１０７とを強固に連結させることができる。
【００６２】
そして、ブッシング１７乃至２２と付属ケーブル１０４乃至１０７との連結作業は、ブッシング１７乃至２２の係合突部２９と付属ケーブル１０４乃至１０７の係合窪部４１とが係合したことを確認した後に行うことができるので、ブッシング１７乃至２２と付属ケーブル１０４乃至１０７との連結後に、ブッシング１７乃至２２の係合突部２９と付属ケーブル１０４乃至１０７の係合窪部４１との係合が不十分であったことが判り、ブッシング１７乃至２２と付属ケーブル１０４乃至１０７との連結作業をやり直すという不具合をなくすことが可能となる。
【符号の説明】
【００６３】
１  工事用開閉器
１１  開閉器本体
１２  開閉部
１７〜２２  ブッシング
２６  環状部
２７  ネジ溝
２８  係合溝部（係合部）
２９  係合突部（係合部）
３１〜３６  接続部
３９  係合張出部（係合部）
４１  係合窪部（係合部）
４５  スライド部材
４６  ネジ溝
１０１ａ〜１０３ａ  一次側電線
１０１ｂ〜１０３ｂ  二次側電線
１０４ａ〜１０６ａ  一次側付属ケーブル
１０４ｂ〜１０６ｂ  一次側付属ケーブル
【図１】
0006610889.tif 000002
【図２】
0006610889.tif 000003
【図３】
0006610889.tif 000004
【図４】
0006610889.tif 000005
【図５】
0006610889.tif 000006
【図６】
0006610889.tif 000007
【図７】
0006610889.tif 000008